(57)【要約】      （修正有）【課題】地面に立設した支柱本体の周囲に支柱固定バーを斜めに埋設して支柱本体を固定でき、組立が簡単で、かつ強度にも優れた果樹棚の支柱固定具を提供する。【解決手段】果樹棚の支柱固定具であって、地面に立設される支柱本体１１の中ほどに所定間隔で複数の保持孔１３を開けた下部固定板１２を固定し、下部固定板の上部に所定間隔で複数の保持孔１５を開けた上部固定板１４を固定するとともに、下部固定板および上部固定板の保持孔にそれぞれ斜めに支柱固定バー１６ａ〜ｃを挿通して所定角度に保持するとともに、地面に立設した支柱本体の周囲に支柱固定バーを斜めに埋設して支柱本体を固定する。【選択図】図１１
0003230348.tif 000002
【実用新案登録請求の範囲】
【請求項１】
果樹棚の支柱固定具であって、地面に立設される支柱本体の中ほどに所定間隔で複数の保持孔を開けた下部固定板を固定し、該下部固定板の上部に所定間隔で複数の保持孔を開けた上部固定板を固定するとともに、前記下部固定板および上部固定板の保持孔にそれぞれ斜めに支柱固定バーを挿通して所定角度に保持するとともに、地面に立設した支柱本体の周囲に前記支柱固定バーを斜めに埋設して支柱本体を固定するようにしたことを特徴とする果樹棚の支柱固定具。
【請求項２】
前記支柱本体に所定間隔で複数の保持孔を開けた下部固定板および上部固定板を固定するに際し、下部固定板および上部固定板に支柱本体を挿通する支柱挿通孔を開設するとともに、開設されて前記支柱挿通孔の上部に折り曲げた垂直板に前記支柱本体を連結する支柱固定部材を取り付け、前記下部固定板および上部固定板と支柱とを固定したことを特徴とする請求項１に記載の果樹棚の支柱固定具。
【請求項３】
前記下部固定板および上部固定板の保持孔にそれぞれ斜めに支柱固定バーを挿通して所定角度に保持するとともに、地面に立設した支柱本体の周囲に前記支柱固定バーを斜めに埋設して支柱本体を固定するに際し、前記支柱固定バーが少なくとも３本で形成されていることを特徴とする請求項１または２に記載の果樹棚の支柱固定具。
【考案の詳細な説明】
【技術分野】
【０００１】
本考案は果樹棚の支柱固定具に関するものであり、前記果樹棚の支柱を簡易かつ迅速に組み立てることができ、しかもぐらつくことのない果樹棚の支柱を組み立てることが可能な果樹棚の支柱固定具を提供することを目的とするものである。
【背景技術】
【０００２】
近年、果樹棚の支柱はその下部にコンクリート製の支持部を形成し、該支持部を地面に埋設して果樹棚の支柱を固定していた。しかしながら、コンクリート製の支持部が形成してあっても果樹棚の支柱がぐらつきやすく、ワイヤ等による補強が避けられなくなってしまうという問題があった。
そのような問題を解決するための先行技術としては、特開２００２−３０６７９号公報（特許文献１参照）のような、地盤に対し、相互の水平間隔が下方に行くに従って広くなるように傾斜して打ち込まれる複数の杭と、前記各杭の軸心に沿った仮想線が、負荷される鉛直荷重の作用線上で交差するように、各杭の上端部を結束するヘッド部とを具備することを特徴とする温室用基礎が知られている。
また、実開平７−３６６２９号公報（特許文献２参照）には、上端に支持部４を形成し、圃場において直線上の一定間隔ごとに設置する支柱１と、両端をそれぞれ隣接する支柱１，１の支持部４，４間に載置し、該支持部４，４に両端部を固定する金網２とで構成することを特徴とする果樹棚が知られている。
【０００３】
さらに、特開平３−２８４０２号公報（特許文献３参照）においては、レールと該レールを地上から離間するように支持する複数本の主支柱と、各主支柱と接続してこれを補強する複数本の斜支柱と、離れた各主支柱に接続された斜支柱どうしを構築するように各斜支柱に接続し、これと樹木とを結束して樹木を誘引するとともに該レールの支持強度を強める複数本の横支柱とを具備する樹上走行モノレールが公知である。
【先行技術文献】
【特許文献】
【０００４】
【特許文献１】特開２００２−３０６７９号公報
【特許文献２】実開平７−３６６２９号公報
【特許文献３】特開平３−２８４０２号公報
【考案の概要】
【考案が解決しようとする課題】
【０００５】
しかしながら特開２００２−３０６７９号公報（特許文献１参照）の温室用基礎においては、相互の水平間隔が下方に行くに従って広くなるように傾斜して打ち込まれる複数の杭と、前記各杭の軸心に沿った仮想線が、負荷される鉛直荷重の作用線上で交差するように、各杭の上端部を結束するヘッド部とを具備するものである。したがって、該ヘッド部で前記複数の杭の上端部を結束しているため、該ヘッド部に多大の負荷がかかって簡単に損傷しやすいという問題があった。
【０００６】
また、実開平７−３６６２９号公報（特許文献２参照）の果樹棚においては、その図５及び図６に示す支柱の変形実施例において、支柱の中程に別の支柱の一端を回動自在に装着し、斜め方向の支柱（ステー）として作用するようにしたものである。支柱には原則的には棚の重量（上下方向の力）のみが作用するものであるが、施工の地理的条件（傾斜）や棚の重量のアンバランスなどによって転倒モーメントが作用することがあり、特に棚列の終端に位置する支柱は片持ち状態となるため、転倒モーメントが作用するため、このような所に斜め方向の支柱を備えた支柱を配置すると棚全体をより強固に施工することができるというものである。しかしながら、斜め方向の支柱の設置の向きが難しく、支柱を配置したとしても棚全体をより強固に施工することはできなかったのが実情である。
【０００７】
さらに、特開平３−２８４０２号公報（特許文献３参照）の樹上走行モノレールにおいては、レールと該レールを地上から離間するように支持する複数本の主支柱と、各主支柱と接続してこれを補強する複数本の斜支柱と、離れた各主支柱に接続された斜支柱どうしを構築するように各斜支柱に接続し、これと樹木とを結束して樹木を誘引するとともに該レールの支持強度を強める複数本の横支柱とを具備するものとなっている。しかしながら、複数本の主支柱と、各主支柱と接続してこれを補強する複数本の斜支柱とは単に斜支柱の上端を主支柱の上部において結束しているだけであり、斜支柱の強固な姿勢制御や強度の面で大きな問題を有しているものと言わざるを得ない。
【０００８】
以上のように、従来の果樹棚の支柱固定具においては、強度や姿勢制御の機能を持たせることが難しいという問題があったため、本考案においては地面に立設される支柱本体の中ほどに所定間隔で複数の保持孔を開けた下部固定板を固定し、該下部固定板の上部に所定間隔で複数の保持孔を開けた上部固定板を固定するとともに、前記下部固定板および上部固定板の保持孔にそれぞれ斜めに支柱固定バーを挿通して所定角度に保持するとともに、地面に立設した支柱本体の周囲に前記支柱固定バーを斜めに埋設して支柱本体を固定するようにして組立が簡単であり、かつ強度にも優れた果樹棚の支柱固定具を提供しようとするものである。
【課題を解決するための手段】
【０００９】
すなわち本考案は果樹棚の支柱固定具であって、地面に立設される支柱本体の中ほどに所定間隔で複数の保持孔を開けた下部固定板を固定し、該下部固定板の上部に所定間隔で複数の保持孔を開けた上部固定板を固定するとともに、前記下部固定板および上部固定板の保持孔にそれぞれ斜めに支柱固定バーを挿通して所定角度に保持するとともに、地面に立設した支柱本体の周囲に前記支柱固定バーを斜めに埋設して支柱本体を固定するようにしたことを特徴とするものである。
【００１０】
本考案の果樹棚の支柱固定具は、前記支柱本体に所定間隔で複数の保持孔を開けた下部固定板および上部固定板を固定するに際し、下部固定板および上部固定板に支柱本体を挿通する支柱挿通孔を開設するとともに、開設されて前記支柱挿通孔の上部に折り曲げた垂直板に前記支柱本体を連結する支柱固定部材を取り付け、前記下部固定板および上部固定板と支柱とを固定したことをも特徴とするものである。
【００１１】
本考案の果樹棚の支柱固定具は、前記下部固定板および上部固定板の保持孔にそれぞれ斜めに支柱固定バーを挿通して所定角度に保持するとともに、地面に立設した支柱本体の周囲に前記支柱固定バーを斜めに埋設して支柱本体を固定するに際し、前記支柱固定バーが少なくとも３本で形成されていることをも特徴とするものである。
【考案の効果】
【００１２】
次に、本考案の果樹棚の支柱固定具によって得られる効果を列記すると以下の通りである。
１）本考案の果樹棚の支柱固定具は、地面に立設される支柱本体の中ほどに所定間隔で複数の保持孔を開けた下部固定板を、また該下部固定板の上部に所定間隔で複数の保持孔を開けた上部固定板を固定するとともに、前記下部固定板および上部固定板の保持孔にそれぞれ斜めに支柱固定バーを挿通して所定角度に保持するとともに、地面に立設した支柱本体の周囲に前記支柱固定バーを斜めに埋設して支柱本体を固定するようにしたものであり、支柱本体と支柱固定バーとの結合を非常に効率よく、しかも強固に結合することができるという顕著な作用効果を奏するものである。
２）前記支柱本体に所定間隔で複数の保持孔を開けた下部固定板および上部固定板を固定するに際し、下部固定板および上部固定板に支柱本体を挿通する支柱挿通孔を開設するとともに、開設されて前記支柱挿通孔の上部に折り曲げた垂直板に前記支柱本体を連結する支柱固定部材を取り付け、前記下部固定板および上部固定板を支柱に固定したことにより、下部固定板および上部固定板に前記支柱を支柱固定部材によって強固に取り付けることができる。
３）前記支柱固定バーが少なくとも３本で形成されており、支柱本体をほぼ三か所から強固に、かつ確実に保持することができる。
【図面の簡単な説明】
【００１３】
【図１】本考案の果樹棚の支柱固定具の実施の形態を示すものであり、支柱本体に所定間隔で複数の保持孔を開けた下部固定板および上部固定板を挿通して地面に設置した状態を示す概略側面図である。
【図２】その概略斜視図である。
【図３】その概略平面図である。
【図４】下部固定板および上部固定板に第１の支柱固定バーを挿通して所定角度に保持した状態の概略側面図である。
【図５】その概略斜視図である。
【図６】その概略平面図である。
【図７】下部固定板および上部固定板に第２の支柱固定バーを挿通して所定角度に保持した状態の概略側面図である。
【図８】その概略斜視図である。
【図９】その概略平面図である。
【図１０】下部固定板および上部固定板に第３の支柱固定バーを挿通して所定角度に保持した状態の概略側面図である。
【図１１】その概略斜視図である。
【図１２】その概略平面図である。
【図１３】その概略透視図である。
【考案を実施するための形態】
【００１４】
以下において、本考案の果樹棚の支柱固定具の実施の形態を図面に基いて詳細に説明する。
図１ないし図３は本考案の果樹棚の支柱固定具の１実施例を示すものであり、地面に立設される支柱本体１１の中ほどに、所定間隔で複数の保持孔１３を開けた下部固定板１２を固定し、また下部固定板１２の上部に所定間隔で複数の保持孔１５を開けた上部固定板１４を固定している。
そして、前記支柱本体１１に所定間隔で複数の保持孔１３，１５をそれぞれ開けた下部固定板１２および上部固定板１４を固定するに際し、下部固定板１２および上部固定板１４に支柱本体１１を挿通する支柱挿通孔１７を開設するとともに、開設されて前記支柱挿通孔１７の上部に折り曲げた垂直板１８に前記支柱本体１１を連結する支柱固定部材１９を取り付け、前記下部固定板１２および上部固定板１４と支柱本体１１とを固定したものである。
【００１５】
なお、前記支柱固定部材１９はＬ字状の背面を前記垂直板１８に取り付けられ、Ｌ字部の一端には円弧状の保持部２１を他端には止ネジ２２を取り付けて、円弧状の保持部２１で支柱本体１１を挟み込んだ上、止ネジ２２で固定しているのである。それは前記下部固定板１２および上部固定板１４の双方において同様の構造となっている。
【００１６】
図４ないし図６は、前記下部固定板１２および上部固定板１４の保持孔１３，１５の個々にそれぞれ斜めに第１の支柱固定バー１６ａを挿通して所定角度に保持するとともに、地面に立設した支柱本体１１の周囲の適所に前記支柱固定バー１６ａを斜めに埋設して支柱本体１１を固定するようにしたものである。
このとき、前記下部固定板１２および上部固定板１４の保持孔１３，１５に前記支柱固定バー１６ａが傾斜して挿通してあり、前記支柱固定バー１６ａは前記下部固定板１２および上部固定板１４の保持孔１３，１５の両者に強固に取り付けられ、地面に挿通させて固定している。
【００１７】
図７ないし図９は、前記下部固定板１２および上部固定板１４の保持孔１３，１５の個々にそれぞれ斜めに第２の支柱固定バー１６ｂを挿通して所定角度に保持するとともに、地面に立設した支柱本体１１の周囲の適所に前記支柱固定バー１６ｂを斜めに埋設して支柱本体１１を固定するようにしたものである。
このとき、前記下部固定板１２および上部固定板１４の保持孔１３，１５に前記支柱固定バー１６ｂが傾斜して挿通してあり、前記支柱固定バー１６ｂは前記下部固定板１２および上部固定板１４の保持孔１３，１５の両者に強固に取り付けられ、地面に挿通させて固定している。
【００１８】
図１０ないし図１３は、前記下部固定板１２および上部固定板１４の保持孔１３，１５の個々にそれぞれ斜めに第３の支柱固定バー１６ｃを挿通して所定角度に保持するとともに、地面に立設した支柱本体１１の周囲の適所に前記支柱固定バー１６ｃを斜めに埋設して支柱本体１１を固定するようにしたものである。
このとき、前記下部固定板１２および上部固定板１４の保持孔１３，１５に前記支柱固定バー１６ｃが傾斜して挿通してあり、前記支柱固定バー１６ｃは前記下部固定板１２および上部固定板１４の保持孔１３，１５の両者に強固に取り付けられ、地面に挿通させて固定している。
このように、第１ないし第３の支柱固定バー１６ａ，１６ｂ，１６ｃで地面に立設した支柱本体１１の周囲を強固に保持するようにしてあるため、地面に立設した支柱本体１１は長期間その姿勢を保持することができる。
【００１９】
前記第１ないし第３の支柱固定バー１６ａ，１６ｂ，１６ｃは、前記支柱本体１１の周囲を等間隔で強固に保持するようになっている。また前記第１ないし第３の支柱固定バー１６ａ，１６ｂ，１６ｃには前記下部固定板１２および上部固定板１４の保持孔１３，１５に係合する係止筒（図示省略）を取り付けておくことにより、各支柱固定バー１６ａ，１６ｂ，１６ｃが前記下部固定板１２および上部固定板１４の保持孔１３，１５から簡単に抜け落ちてしまうことがない。
【００２０】
なお、前記第１ないし第３の支柱固定バー１６ａ，１６ｂ，１６ｃに代えてそれ以上の本数の支柱固定バーを使用することもできる。なお、前記第１ないし第３の支柱固定バー１６ａ，１６ｂ，１６ｃを等間隔ではなく、より強固な結束が可能な間隔に配置することもできる。
【産業上の利用可能性】
【００２１】
本考案の果樹棚の支柱固定具は以上のように構成されており、その考案の要旨を変更しない限り各種の果実に適した形態を備えた果樹棚の支柱固定具に適用できることはいうまでもない。
【符号の説明】
【００２２】
１１  支柱本体
１２  下部固定板
１３  保持孔
１４  上部固定板
１５  保持孔
１６ａ，１６ｂ，１６ｃ  支柱固定バー
１７  支柱挿通孔
１８  垂直板
１９  支柱固定部材
２１  円弧状の保持部
２２  止ネジ
【図１】
0003230348.tif 000003
【図２】
0003230348.tif 000004
【図３】
0003230348.tif 000005
【図４】
0003230348.tif 000006
【図５】
0003230348.tif 000007
【図６】
0003230348.tif 000008
【図７】
0003230348.tif 000009
【図８】
0003230348.tif 000010
【図９】
0003230348.tif 000011
【図１０】
0003230348.tif 000012
【図１１】
0003230348.tif 000013
【図１２】
0003230348.tif 000014
【図１３】
0003230348.tif 000015